Podtech/llm-jp-corpus-v4-ja_patent huggingface dataset:
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
乳癌と診断されたヒト患者の臨床転帰を予測するための方法であって、
（ａ）患者の乳癌腫瘍から得られた組織試料におけるＥＮＯ１のＲＮＡ転写物のレベルを定量的に測定するステップと、
（ｂ）前記ＥＮＯ１のＲＮＡ転写物のレベルを正規化して、正規化ＥＮＯ１発現レベルを得るステップと、
（ｃ）前記正規化ＥＮＯ１発現レベルを、乳癌参照セットから得た正規化ＥＮＯ１発現レベルと比較するステップと、
（ｄ）前記正規化ＥＮＯ１発現レベルが、乳癌参照セットから得た正規化ＥＮＯ１発現レベルに比して減少している場合に、前記患者が予後が良好である可能性が高いことを決定するステップであって、このとき良好な予後が、再発又は転移の可能性の低減ないしは全生存期間の増加である、ステップと、
を含む方法。
【請求項２】
前記正規化ＥＮＯ１発現レベルに基づきレポートを生成するステップをさらに含む、請求項１に記載の方法。
【請求項３】
前記組織試料が固定パラフィン包埋組織試料である、請求項１又は２に記載の方法。
【請求項４】
前記ＥＮＯ１のＲＮＡ転写物のレベルがＰＣＲベースの方法を用いて測定される、請求項１から３のいずれか一項に記載の方法。
【請求項５】
Ｐ２ＲＹ５のＲＮＡ転写物のレベルを測定するステップをさらに含む、請求項１から４のいずれか一項に記載の方法。
【請求項６】
前記組織試料がコア生検又は細針吸引によって得られる、請求項１から５のいずれか一項に記載の方法。
【請求項７】
前記ＥＮＯ１のＲＮＡ転写物のレベルがクロッシングポイント（Ｃｐ）値であり、前記正規化ＥＮＯ１発現レベルが正規化Ｃｐ値である、請求項１から６のいずれか一項に記載の方法。
【請求項８】
前記ＥＮＯ１のＲＮＡ転写物のレベルが閾値サイクル（Ｃｔ）値であり、前記正規化ＥＮＯ１発現レベルが正規化Ｃｔ値である、請求項１から６のいずれか一項に記載の方法。
【請求項９】
予後良好が再発又は転移の可能性の低減である、請求項１から８のいずれか一項に記載の方法。
【請求項１０】
前記乳癌が、エストロゲン受容体（ＥＲ）陽性乳癌である、請求項１から９のいずれか一項に記載の方法。
【請求項１１】
エストロゲン受容体（ＥＲ）陽性乳癌と診断されたヒト患者の臨床転帰を予測するための方法であって、
（ａ）患者から得られる乳癌組織試料からＲＮＡを抽出するステップと、
（ｂ）ＥＮＯ１のＲＮＡ転写物を逆転写して、ＥＮＯ１のｃＤＮＡを製造するステップと、
（ｃ）ＥＮＯ１のｃＤＮＡを増幅するステップと、
（ｄ）ＥＮＯ１のＲＮＡ転写物のアンプリコンを製造するステップと、
（ｅ）ＥＮＯ１のＲＮＡ転写物のアンプリコンのレベルを定量的にアッセイするステップと、
（ｆ）前記ＥＮＯ１のＲＮＡ転写物のアンプリコンのレベルを正規化して、正規化ＥＮＯ１アンプリコンレベルを提供するステップと、
（ｇ）前記正規化ＥＮＯ１アンプリコンレベルを、乳癌参照セットから得られる正規化ＥＮＯ１アンプリコンレベルと比較するステップと、
（ｈ）前記正規化ＥＮＯ１アンプリコンレベルが、乳癌参照セットから得られる正規化ＥＮＯ１アンプリコンレベルに比して減少している場合に、前記患者が予後が良好である可能性が高いことを決定するステップであって、このとき良好な予後が、再発又は転移の可能性の低減ないしは全生存期間の増加である、ステップと、
を含む方法。
【請求項１２】
前記正規化ＥＮＯ１アンプリコンレベルに基づきレポートを生成するステップをさらに含む、請求項１１に記載の方法。
【請求項１３】
前記組織試料が、固定パラフィン包埋組織である、請求項１１又は１２に記載の方法。
【請求項１４】
前記ＥＮＯ１のｃＤＮＡがＰＣＲベースの方法を用いて増幅される、請求項１１から１３のいずれか一項に記載の方法。
【請求項１５】
患者から得た乳癌組織試料中のＰ２ＲＹ５のＲＮＡ転写物を増幅するステップをさらに含む、請求項１１から１４のいずれか一項に記載の方法。
【請求項１６】
前記ＥＮＯ１のＲＮＡ転写物のアンプリコンのレベルがクロッシングポイント（Ｃｐ）値であり、前記正規化ＥＮＯ１アンプリコンレベルが正規化Ｃｐ値である、請求項１１から１５のいずれか一項に記載の方法。
【請求項１７】
前記ＥＮＯ１のＲＮＡ転写物のアンプリコンのレベルが閾値サイクル（Ｃｔ）値であり、前記正規化ＥＮＯ１アンプリコンレベルが正規化Ｃｔ値である、請求項１１から１５のいずれか一項に記載の方法。
【請求項１８】
予後良好が再発又は転移の可能性の低減である、請求項１１から１７のいずれか一項に記載の方法。
【請求項１９】
乳癌と診断されたヒト患者を予後によって分類するためのコンピュータプログラム製品であって、前記コンピュータプログラム製品は、メモリとプロセッサとを有するコンピュータと協働して使用され、符号化されたコンピュータプログラムを有するコンピュータ可読記憶媒体を具備し、前記コンピュータプログラム製品は、コンピュータの前記１つ又は複数のメモリユニットにロードされ、且つ前記コンピュータの前記１つ又は複数のプロセッサユニットに、
（ａ）前記患者の乳癌腫瘍から得られる組織試料におけるＥＮＯ１のＲＮＡ転写物のレベルを含むデータを受け取るステップと、
（ｂ）前記レベルを正規化して、正規化ＥＮＯ１発現レベルを得るステップと、
（ｃ）前記正規化ＥＮＯ１発現レベルを、乳癌参照セットから得られる正規化ＥＮＯ１発現レベルと比較するステップと、
（ｄ）前記正規化ＥＮＯ１発現レベルが、乳癌参照セットから得られる正規化ＥＮＯ１レベルに比して減少している場合に、前記患者が予後が良好である可能性が高いと分類するステップであって、このとき良好な予後が、再発又は転移の可能性の低減ないしは全生存期間の増加である、ステップと
を実行させる、コンピュータプログラム製品。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
変動表示の実行中に、当該変動表示に対応する特定表示を表示可能な特定表示手段と、
変動表示の実行中に、共通演出を実行し、当該共通演出を実行した後に前記特定表示の表示態様を変化させる変化演出及び前記特定表示の表示態様を変化させない示唆演出のいずれか一方を実行可能な演出実行手段とを備え、
前記演出実行手段は、前記共通演出として所定の効果音を出力し、
変動表示の実行中における複数タイミングのうち、いずれのタイミングで前記共通演出を実行するかに応じて、前記変化演出を実行する割合が異なる、遊技機。
【請求項２】
変動表示を行ない、遊技者にとって有利な有利状態に制御可能な遊技機であって、
変動表示に関する情報について保留情報として記憶する保留記憶手段と、
前記保留記憶手段に記憶された保留情報に対応する保留表示を表示可能な保留表示手段と、
変動表示の実行中に、共通演出を実行し、当該共通演出を実行した後に前記保留表示の表示態様を変化させる変化演出及び前記保留表示の表示態様を変化させない示唆演出のいずれか一方を実行可能な演出実行手段とを備え、
前記演出実行手段は、前記共通演出として所定の効果音を出力し、
変動表示の実行中における複数タイミングのうち、いずれのタイミングで前記共通演出を実行するかに応じて、前記変化演出を実行する割合が異なる、遊技機。
【手続補正２】
【補正対象書類名】明細書
【補正対象項目名】０００７
【補正方法】変更
【補正の内容】
【０００７】
（１）  変動表示（特図の可変表示、飾り図柄の可変表示、特図及び飾り図柄の可変表示等）を行ない、遊技者にとって有利な有利状態（大当り遊技状態等）に制御可能な遊技機（遊技機１等）であって、
変動表示の実行中に、当該変動表示に対応する特定表示（アクティブ表示等）を表示可能な特定表示手段（演出制御用ＣＰＵ１２０等）と、
変動表示の実行中に、共通演出（図４０の共通態様部分）を実行し、当該共通演出を実行した後に前記特定表示の表示態様を変化させる変化演出（図４０（Ａ）の変化演出、アクティブ表示の色を変化させる演出等）及び前記特定表示の表示態様を変化させない示唆演出（特定示唆演出等）のいずれか一方を実行可能な演出実行手段（演出制御用ＣＰＵ１２０等）とを備え、
前記演出実行手段は、前記共通演出として所定の効果音を出力し（図４０に示すように、変化演出および特定示唆演出では、共通態様部分においてスピーカ８から効果音が出力される）、
変動表示の実行中における複数タイミングのうち、いずれのタイミングで前記共通演出を実行するかに応じて、前記変化演出を実行する割合が異なる（図２８に示すように実行タイミングにより成功期待度が異なる等）。
【手続補正３】
【補正対象書類名】明細書
【補正対象項目名】０００９
【補正方法】変更
【補正の内容】
【０００９】
（２）  （１）に記載の遊技機において、
変動表示（特図の可変表示、飾り図柄の可変表示、特図及び飾り図柄の可変表示等）を行ない、遊技者にとって有利な有利状態（大当り遊技状態等）に制御可能な遊技機（遊技機１等）であって、
変動表示に関する情報について保留情報として記憶する保留記憶手段（第１特図保留記憶部１５１Ａ、第２特図保留記憶部１５１Ｂ、第１始動入賞時受信コマンドバッファ１９４Ａ、第２始動入賞時受信コマンドバッファ１９４Ｂ等）と、
前記保留記憶手段に記憶された保留情報に対応する保留表示を表示可能な保留表示手段（ステップＳ１６２の第１保留追加処理において第１始動入賞記憶表示エリア５ＨＬに保留表示を追加する処理や、ステップＳ１６５の第２保留追加処理において第２始動入賞記憶表示エリア５ＨＲに保留表示を追加する処理等）と、
変動表示の実行中に、共通演出（図４０の共通態様部分）を実行し、当該共通演出を実行した後に前記保留表示の表示態様を変化させる変化演出（保留表示の色を変化させる演出等）及び前記保留表示の表示態様を変化させない示唆演出（特定示唆演出等）のいずれか一方を実行可能な演出実行手段（演出制御用ＣＰＵ１２０等）とを備え、
前記演出実行手段は、前記共通演出として所定の効果音を出力し（図４０に示すように、変化演出および特定示唆演出では、共通態様部分においてスピーカ８から効果音が出力される等）、
変動表示の実行中における複数タイミングのうち、いずれのタイミングで前記共通演出を実行するかに応じて、前記変化演出を実行する割合が異なる（実行タイミングにより成功期待度が異なる等）。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
未だ開始されていない変動表示に関する情報を保留記憶として記憶する保留記憶手段と、
前記保留記憶手段に記憶された保留記憶に対応する保留表示を表示する保留表示手段と、
保留記憶に対応する変動表示が行なわれているときに、変動対応表示を表示する変動対応表示手段と、
一の保留記憶に対応する保留表示が表示されているときと、一の保留記憶に対応する変動表示が行なわれているときとを含む特定期間において、特定画像を表示可能な特定画像表示手段とを備え、
前記特定画像表示手段は、前記特定期間のうちのいずれかのタイミングで前記特定画像の態様を変化させることが可能であり、
前記特定画像の態様が変化したときに、保留表示の態様を変化させること、または、変動対応表示の態様を変化させることが可能であることを特徴とする、遊技機。
【手続補正２】
【補正対象書類名】明細書
【補正対象項目名】０００１
【補正方法】変更
【補正の内容】
【０００１】
本発明は、パチンコ遊技機等の遊技機に関し、特に、可変表示を行ない、遊技者にとって有利な有利状態に制御可能な遊技機に関する。
【手続補正３】
【補正対象書類名】明細書
【補正対象項目名】０００７
【補正方法】変更
【補正の内容】
【０００７】
（１）  変動表示（特別図柄および演出図柄の変動表示等）を行ない、遊技者にとって有利な有利状態（大当り遊技状態等）に制御可能な遊技機（パチンコ遊技機１等）であって、
未だ開始されていない変動表示に関する情報を保留記憶として記憶する保留記憶手段（遊技制御用マイクロコンピュータ５６０、ＲＡＭ５５、第１保留記憶バッファ、第２保留記憶バッファ）と、
前記保留記憶手段に記憶された保留記憶に対応する保留表示（図１５の保留画像Ｈ等）を表示する保留表示手段（演出表示装置９、保留表示エリア１８ｃ等）と、
保留記憶に対応する変動表示が行なわれているときに、変動対応表示（図１５のアクティブ画像ＡＨ等）を表示する変動対応表示手段（演出表示装置９、アクティブ表示エリア等）と、
一の保留記憶に対応する保留表示が表示されているときと、一の保留記憶に対応する変動表示が行なわれているときとを含む特定期間において、特定画像（図１５の特定キャラクタ画像Ｃ）を表示可能な特定画像表示手段（演出表示装置９、演出制御用マイクロコンピュータ１００、保留表示エリア１８ｃ等）とを備え、
前記特定画像表示手段は、前記特定期間のうちのいずれかのタイミングで前記特定画像の態様を変化させることが可能であり（図１５に示すように保留画像出現時から当該保留画像がアクティブ画像に移行したときまでの複数回の変動表示に跨る期間中における、次回保留シフト時のタイミング、アクティブ表示時のタイミング等）、
前記特定画像の態様が変化したとき（図１５（Ｄ），（Ｆ）のように特定キャラクタ画像Ｃが動作する特定表示態様に変化したとき）に、保留表示の態様を変化させる（青、緑、赤に変化させる）こと（図１５（Ｆ）の保留画像変化、図１７（Ａ）〜（Ｃ）の保留表示シフト時の変化演出の演出態様、アクティブ表示時の演出態様参照）、または、変動対応表示の態様を変化させること（図１５（Ｄ）のアクティブ画像変化、図１７（Ａ）〜（Ｃ）のアクティブ表示時の変化演出の演出態様参照）が可能である（演出制御用マイクロコンピュータ１００、図２２のＳ６３３，Ｓ６３４、図１４のＳ８０２）。
【手続補正４】
【補正対象書類名】明細書
【補正対象項目名】０００９
【補正方法】変更
【補正の内容】
【０００９】
（２）  前記（１）に記載の遊技機であって、
前記特定画像表示手段は、複数種類の前記特定画像（図１６（Ｄ），（Ｅ）に示す第１キャラクタ、第２キャラクタという複数種類のキャラクタ等）のうち、いずれかの特定画像を表示し（図２０のＳ７２０、Ｓ７２６）、
前記特定画像の種類が第１の種類のときと第２の種類のときとで、保留表示の態様、または、変動対応表示の態様を変化させる割合が異なる（図１６（Ｄ），（Ｅ）に示すように、たとえば、保留変化等演出が実行されるときに、第１キャラクタの方が第２キャラクタよりも選択割合が高いので、キャラクタの種類により保留変化等演出が実行される割合が異なる。）。
【手続補正５】
【補正対象書類名】明細書
【補正対象項目名】００１１
【補正方法】変更
【補正の内容】
【００１１】
（３）  前記（１）または（２）に記載の遊技機であって、
前記特定画像表示手段は、複数種類の前記特定画像のうち、いずれかの特定画像を表示し、
前記特定画像の種類が第１の種類のときと第２の種類のときとで、一の保留情報について、保留表示として表示されている時期に態様を変化させる割合と、変動対応表示として表示されている時期に態様を変化させる割合との少なくともいずれか一方が異なる（図１７（Ａ），（Ｂ）に示すように、保留変化等演出が実行されるときに、第１キャラクタの方が第２キャラクタよりもアクティブ画像の変化演出を実行する割合が高く、第２キャラクタの方が第１キャラクタよりも保留画像の変化演出を実行する割合が高く設定されている。）。
【手続補正６】
【補正対象書類名】明細書
【補正対象項目名】００１７
【補正方法】変更
【補正の内容】
【００１７】
（６）  前記（１）から（５）のいずれかに記載の遊技機であって、
一の保留記憶に対応する保留表示が表示されているときと、一の保留記憶に対応する変動表示が行なわれているときとを含む特定期間の変動表示は、前記特定画像の態様が変化する変動表示と、前記特定画像の態様が変化しない変動表示とを含む（図１７に示すように、特定キャラクタ画像は、保留画像の次回シフト時に対応する変動表示、および、アクティブ画像に付随して表示されたときの変動表示においては、態様が変化可能であるが、保留画像の次回より後のシフト時に対応する変動表示においては、態様が変化不可能とされている。）。
【手続補正７】
【補正対象書類名】明細書
【補正対象項目名】００１８
【補正方法】変更
【補正の内容】
【００１８】
このような構成によれば、特定期間の変動表示において、特定画像の態様が変化する変動表示と、特定画像の態様が変化しない変動表示とを含むので、特定画像が表示可能であることにより、特定画像を用いた演出態様がさらにバリエーションに富むようになり、遊技の興趣を向上させることができる。
【手続補正書】
【提出日】平成29年9月26日(2017.9.26)
【手続補正１】
【補正対象書類名】特許請求の範囲
【補正対象項目名】請求項１
【補正方法】変更
【補正の内容】
【請求項１】
遊技の進行を制御するメイン制御手段と、
設定変更スイッチと、
設定値を表示可能な所定の表示手段と
を備え、
前記メイン制御手段は、所定時間間隔で割込み処理を実行可能とし、
前回の割込み処理で前記設定変更スイッチのオフを検知し、今回の割込み処理で前記設定変更スイッチのオンを検知したときは、前記設定変更スイッチの立ち上がりデータをオンとし、
前回の割込み処理で前記設定変更スイッチのオンを検知し、今回の割込み処理で前記設定変更スイッチのオンを検知したときは、前記設定変更スイッチの立ち上がりデータをオフとし、
前記メイン制御手段は、設定変更モードの開始条件を満たしたときは、設定変更モードを実行可能とし、
設定変更モードでは、
前記設定変更スイッチの立ち上がりデータのオン／オフを判断し、前記設定変更スイッチの立ち上がりデータがオンであると判断したときは、前記所定の表示手段の表示を更新可能とし、
前記設定変更スイッチの立ち上がりデータのオン／オフを判断したときは、少なくとも１回の割込み処理が実行されるまで待機する第１待機処理を実行した後に、前記設定変更スイッチの立ち上がりデータのオン／オフを判断し、
設定変更モードの終了条件を満たしたときは、設定変更モードを終了可能とし、
前記メイン制御手段は、特別遊技状態の開始条件を満たしたときは、特別遊技状態を開始可能とし、
特別遊技状態では、特別役物が作動するように制御し、
特別役物の作動は、所定の終了条件を満たしたときに終了可能とし、
特別遊技状態において前記所定の終了条件を満たしたときは、特別役物の作動を終了し、特別遊技状態の終了条件を満たしていないときは、少なくとも１回の割込み処理が実行されるまで待機する第２待機処理を実行した後に、再度、特別役物が作動するように制御し、
特別遊技状態において特別役物が作動しているときの割込み処理では、特別遊技状態であり、かつ、特別役物が作動していることを示す試験信号を出力するための処理を実行可能であり、
第２待機処理を実行しているときの割込み処理では、特別遊技状態であり、かつ、特別役物が作動していないことを示す試験信号を出力するための処理を実行可能である
ことを特徴とする遊技機。
【手続補正２】
【補正対象書類名】明細書
【補正対象項目名】０００４
【補正方法】変更
【補正の内容】
【０００４】
前述の従来の技術では、設定値が意図した数値と異なる値にならないようにするために、専用の無効タイマー１２５を設ける必要があった。
本発明が解決しようとする課題は、専用のタイマーを設けることなく、設定値が意図した値にならないようにすることである。
【手続補正３】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技の進行を制御するメイン制御手段（メイン制御基板６０）と、
設定変更スイッチ（設定変更／リセットスイッチ５３）と、
設定値を表示可能な所定の表示手段（設定値表示ＬＥＤ６４）と
を備え、
前記メイン制御手段は、所定時間間隔で割込み処理（I_INTR）を実行可能とし、
前回の割込み処理で前記設定変更スイッチのオフを検知し、今回の割込み処理で前記設定変更スイッチのオンを検知したときは、前記設定変更スイッチの立ち上がりデータをオンとし、
前回の割込み処理で前記設定変更スイッチのオンを検知し、今回の割込み処理で前記設定変更スイッチのオンを検知したときは、前記設定変更スイッチの立ち上がりデータをオフとし、
前記メイン制御手段は、設定変更モードの開始条件を満たしたときは、設定変更モードを実行可能とし、
設定変更モード（図２９の設定変更処理）では、
前記設定変更スイッチの立ち上がりデータのオン／オフを判断し（ステップＳ８１５）、前記設定変更スイッチの立ち上がりデータがオンであると判断したときは、前記所定の表示手段の表示を更新可能とし（ステップＳ８１６）、
前記設定変更スイッチの立ち上がりデータのオン／オフを判断したときは、少なくとも１回の割込み処理が実行されるまで待機する第１待機処理（ステップＳ８１４（割込み待ち処理））を実行した後に、前記設定変更スイッチの立ち上がりデータのオン／オフを判断し（ステップＳ８１５）、
設定変更モードの終了条件を満たしたとき（ステップＳ８１７で「Ｙｅｓ」、及びステップＳ８１８で「Ｙｅｓ」のとき））は、設定変更モードを終了可能とし、
前記メイン制御手段は、特別遊技状態（１ＢＢ遊技）の開始条件を満たしたとき（図３７中、ステップＳ８３で「Ｙｅｓ」）は、特別遊技状態を開始可能とし、
特別遊技状態では、特別役物（ＲＢ）が作動するように制御し、
特別役物の作動は、所定の終了条件（図６３中、ステップＳ５６２で「Ｙｅｓ」、又はステップＳ５６５で「Ｙｅｓ」）を満たしたときに終了可能とし、
特別遊技状態において前記所定の終了条件を満たしたときは、特別役物の作動を終了し（ステップＳ５６６）、特別遊技状態の終了条件を満たしていないときは、少なくとも１回の割込み処理が実行されるまで待機する第２待機処理（ステップＳ５６８の２バイト待ち処理）を実行した後に、再度、特別役物が作動するように制御し、
特別遊技状態において特別役物が作動しているときの割込み処理では、特別遊技状態であり、かつ、特別役物が作動していることを示す試験信号（図６９中、Ｄ３ビットが「１」、かつＤ４ビットが「１」）を出力するための処理（図６８の試験信号・条件装置情報出力処理）を実行可能であり、
第２待機処理を実行しているときの割込み処理では、特別遊技状態であり、かつ、特別役物が作動していないことを示す試験信号（図６９中、Ｄ３ビットが「１」、かつＤ４ビットが「０」）を出力するための処理（図６８の試験信号・条件装置情報出力処理）を実行可能である
ことを特徴とする。
【手続補正４】
【補正対象書類名】明細書
【補正対象項目名】０００６
【補正方法】変更
【補正の内容】
【０００６】
本発明によれば、設定変更スイッチの立ち上がりデータがオンであると判断した後、割込み処理が実行される前に、再度、設定変更スイッチの立ち上がりデータがオンであると判断し、２回以上続けて設定値が更新されてしまうことをなくすことができる。これにより、意図しない設定値とならないようにするための専用のタイマーを設けることなく、割込み処理を利用した第１待機処理により、設定値が連続して更新されることを防止することができる。
【手続補正書】
【提出日】平成29年9月26日(2017.9.26)
【手続補正１】
【補正対象書類名】特許請求の範囲
【補正対象項目名】請求項１
【補正方法】変更
【補正の内容】
【請求項１】
遊技の進行を制御するメイン制御手段と、
設定変更スイッチと、
設定値を表示可能な第１表示手段と、
遊技媒体の獲得数を表示可能な第２表示手段と
を備え、
前記メイン制御手段は、所定時間間隔で割込み処理を実行可能とし、
前回の割込み処理で前記設定変更スイッチのオフを検知し、今回の割込み処理で前記設定変更スイッチのオンを検知したときは、前記設定変更スイッチの立ち上がりデータをオンとし、
前回の割込み処理で前記設定変更スイッチのオンを検知し、今回の割込み処理で前記設定変更スイッチのオンを検知したときは、前記設定変更スイッチの立ち上がりデータをオフとし、
前記メイン制御手段は、設定変更モードの開始条件を満たしたときは、設定変更モードを実行可能とし、
設定変更モードでは、
前記設定変更スイッチの立ち上がりデータのオン／オフを判断し、前記設定変更スイッチの立ち上がりデータがオンであると判断したときは、第１表示手段に表示されている設定値を更新可能とし、
前記設定変更スイッチの立ち上がりデータのオン／オフを判断したときは、少なくとも１回の割込み処理が実行されるまで待機する待機処理を実行した後に、前記設定変更スイッチの立ち上がりデータのオン／オフを判断し、
設定変更モードの終了条件を満たしたときは、設定変更モードを終了可能とし、
前記メイン制御手段は、小役が入賞したことに基づき遊技者に付与した獲得数を第２表示手段に表示した後において、ベットされていない状況が所定期間経過したときは、第２表示手段に表示されている獲得数をクリア可能とする
ことを特徴とする遊技機。
【手続補正２】
【補正対象書類名】明細書
【補正対象項目名】０００１
【補正方法】変更
【補正の内容】
【０００１】
本発明は、遊技機において、適切な設定変更処理を行う技術に関するものである。
【手続補正３】
【補正対象書類名】明細書
【補正対象項目名】０００２
【補正方法】変更
【補正の内容】
【０００２】
従来より、遊技者の有利度を定める設定値を記憶可能な遊技機（たとえば、スロットマシン）が知られている。
ここで、設定変更ボタンにより設定値を変更するときに発生するチャタリングにより、意図しない設定値となってしまうことを防止する技術が知られている（たとえば、特許文献１参照）。
【手続補正４】
【補正対象書類名】明細書
【補正対象項目名】０００４
【補正方法】変更
【補正の内容】
【０００４】
前述の従来の技術では、設定値が意図した数値と異なる値にならないようにするために、専用の無効タイマー１２５を設ける必要があった。
本発明が解決しようとする課題は、専用のタイマーを設けることなく、設定値が意図した値にならないようにすることである。
【手続補正５】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技の進行を制御するメイン制御手段（メイン制御基板６０）と、
設定変更スイッチ（設定変更／リセットスイッチ５３）と、
設定値を表示可能な第１表示手段（設定値表示ＬＥＤ６４）と、
遊技媒体の獲得数を表示可能な第２表示手段（獲得数表示ＬＥＤ７２）と
を備え、
前記メイン制御手段は、所定時間間隔で割込み処理（I_INTR）を実行可能とし、
前回の割込み処理で前記設定変更スイッチのオフを検知し、今回の割込み処理で前記設定変更スイッチのオンを検知したときは、前記設定変更スイッチの立ち上がりデータをオンとし、
前回の割込み処理で前記設定変更スイッチのオンを検知し、今回の割込み処理で前記設定変更スイッチのオンを検知したときは、前記設定変更スイッチの立ち上がりデータをオフとし、
前記メイン制御手段は、設定変更モードの開始条件を満たしたときは、設定変更モードを実行可能とし、
設定変更モード（図２９の設定変更処理）では、
前記設定変更スイッチの立ち上がりデータのオン／オフを判断し（ステップＳ８１５）、前記設定変更スイッチの立ち上がりデータがオンであると判断したときは、第１表示手段に表示されている設定値を更新可能とし（ステップＳ８１６）、
前記設定変更スイッチの立ち上がりデータのオン／オフを判断したときは、少なくとも１回の割込み処理が実行されるまで待機する待機処理（ステップＳ８１４（割込み待ち処理））を実行した後に、前記設定変更スイッチの立ち上がりデータのオン／オフを判断し（ステップＳ８１５）、
設定変更モードの終了条件を満たしたとき（ステップＳ８１７で「Ｙｅｓ」、及びステップＳ８１８で「Ｙｅｓ」のとき））は、設定変更モードを終了可能とし、
前記メイン制御手段は、小役が入賞したことに基づき遊技者に付与した獲得数を第２表示手段に表示した後において、ベットされていない状況が所定期間（「２６８４６」割込み）経過したときは、第２表示手段に表示されている獲得数をクリア可能とする（図４４のステップＳ４２２）
ことを特徴とする。
【手続補正６】
【補正対象書類名】明細書
【補正対象項目名】０００６
【補正方法】変更
【補正の内容】
【０００６】
本発明によれば、設定変更スイッチの立ち上がりデータがオンであると判断した後、割込み処理が実行される前に、再度、設定変更スイッチの立ち上がりデータがオンであると判断し、２回以上続けて設定値が更新されてしまうことをなくすことができる。これにより、意図しない設定値とならないようにするための専用のタイマーを設けることなく、割込み処理を利用した待機処理により、設定値が連続して更新されることを防止することができる。
【手続補正書】
【提出日】平成29年8月29日(2017.8.29)
【手続補正１】
【補正対象書類名】特許請求の範囲
【補正対象項目名】請求項１
【補正方法】変更
【補正の内容】
【請求項１】
所定の条件を満たしたときに、特別役物が作動する遊技機において、
前記特別役物が作動している遊技における小役の入賞回数に関する値を記憶可能な第１記憶手段と、
遊技価値の付与数に対応する値を記憶可能な第２記憶手段と
を備え、
前記特別役物が作動している遊技において、
小役が入賞した場合には、入賞した小役に基づいた遊技価値の付与数に対応する値を第２記憶手段に記憶可能とし、
所定のタイミングで、第２記憶手段に記憶された値が特定値であるか否かを判断し、前記特定値であるときは第１記憶手段の値を更新せず、前記特定値でないときは第１記憶手段の値を更新可能とする
ことを特徴とする遊技機。
【手続補正２】
【補正対象書類名】明細書
【補正対象項目名】０００１
【補正方法】変更
【補正の内容】
【０００１】
本発明は、特別役物が作動している遊技における小役の入賞回数に関する値を記憶可能な遊技機に関するものである。
【手続補正３】
【補正対象書類名】明細書
【補正対象項目名】０００４
【補正方法】変更
【補正の内容】
【０００４】
しかし、前述の従来の技術において、入賞回数計数手段１３２がどのようにして入賞回数をカウントするかについての具体的記載はない。
本発明が解決しようとする課題は、特別役物が作動している遊技における小役の入賞回数に関する情報を正しくカウントすることである。
【手続補正４】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明（第５実施形態）は、
所定の条件を満たしたとき（ＲＢに係る作動状態フラグが「１」であるとき（ステップＳ５４５で「Ｎｏ」のとき））に、特別役物（ＲＢ）が作動する遊技機において、
前記特別役物が作動している遊技における小役の入賞回数に関する値を記憶可能な第１記憶手段（アドレス「Ｆ０７４」のＲＢ作動時の入賞回数）と、
遊技価値の付与数に対応する値を記憶可能な第２記憶手段（アドレス「Ｆ０６Ｃ」のメダル払出し枚数データ）と
を備え、
前記特別役物が作動している遊技において、
小役が入賞した場合には、入賞した小役に基づいた遊技価値の付与数に対応する値を第２記憶手段に記憶可能とし（図５９中、ステップＳ５９３）、
所定のタイミング（図６３中、ステップＳ５６３）で、第２記憶手段に記憶された値が特定値（「０」）であるか否かを判断し、前記特定値であるとき（ステップＳ５６３で「Ｙｅｓ」）は第１記憶手段の値を更新せず、前記特定値でないとき（ステップＳ５６３で「Ｎｏ」）は第１記憶手段の値を更新可能とする（ステップＳ５６４）
ことを特徴とする。
なお、本発明において、「所定のタイミング」とは、第２記憶手段に遊技価値の付与数に対応する値が記憶された後の任意のタイミングを意味し、実施形態で示したステップＳ５６３に限定されるものではない。
【手続補正５】
【補正対象書類名】明細書
【補正対象項目名】０００６
【補正方法】変更
【補正の内容】
【０００６】
本発明によれば、第２記憶手段に記憶された値が特定値であるか否かを判断するだけで、第１記憶手段の値を更新するか否かを判断することができる。これにより、情報処理の簡素化を図ることができる。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
始動条件の成立に基づいて表示手段に所定の図柄を変動表示させ、特定図柄が表示されたときに、遊技者にとって有利な特別遊技を発生させる特別遊技発生手段と、
前記図柄の変動表示に係る演出を、少なくとも所定の表示手段に表示制御させる表示制御手段と、
を備えた遊技機であって、
前記表示制御手段は、
所定の遊技条件の成立により前記変動表示の結果に係る演出とは異なる所定のモチーフを用いた演出を前記表示手段に表示制御する演出表示制御手段を有し、
前記演出表示制御手段は、
前記モチーフを用いた、前記所定の図柄の変動表示の結果に関する煽り演出が終了した後の前記特別遊技の実行中は、所定期間の間、引き続き当該モチーフを用いた演出を行うこと
を特徴とする遊技機。
【手続補正２】
【補正対象書類名】明細書
【補正対象項目名】０００１
【補正方法】変更
【補正の内容】
【０００１】
本発明は、抽選結果に基づいて遊技球が入賞し難い状態から入賞し易い状態に変換制御される電動役物を備えた遊技機に関する。
【手続補正３】
【補正対象書類名】明細書
【補正対象項目名】０００２
【補正方法】変更
【補正の内容】
【０００２】
従来より、遊技球が始動入賞装置を通過すると、表示装置にて図柄を変動表示後停止させて所定の図柄を確定表示させる図柄の抽選が行われ、この図柄の抽選で「当り」になると、電動役物が、遊技球が入賞し難い状態から入賞し易い状態に所定の開放パターンで設定時間だけ変換制御されるようになっている。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
従って、このような遊技機では、遊技性向上のため、抽選結果を示すまでに様々な趣向を凝らした演出が行われるようになっており、例えば、表示装置で演出用の画像を表示したり、所定の遊技モードに移行したり、「ギミック」と呼ばれる演出用の可動役物を動作させたり、あるいはランプやＬＥＤ等の発光装置や音声装置を駆使した演出を行ったりしている。
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】変更
【補正の内容】
【０００６】
ところで、通常の遊技状態で図柄の抽選で当りになったときに電動役物が所定の開放パターンに変換制御される設定時間は、例えば、特許文献１に開示されているように、図柄抽選で当選した図柄の種類によって異なる時間に設定されるようになっている。
【手続補正８】
【補正対象書類名】明細書
【補正対象項目名】０００７
【補正方法】変更
【補正の内容】
【０００７】
このように、始動入賞装置に遊技球を入賞させることは、特別遊技を獲得する上で重要な要因となっている。従って、近年、このような始動入賞装置を備えた遊技機では、遊技球が図柄の変動表示に係って、当該変動表示における図柄の抽選結果が当りになるか否かに関する煽り演出が実行されるようになっている。
【手続補正９】
【補正対象書類名】明細書
【補正対象項目名】０００９
【補正方法】削除
【補正の内容】
【手続補正１０】
【補正対象書類名】明細書
【補正対象項目名】００１１
【補正方法】変更
【補正の内容】
【００１１】
ところで、演出表示装置にて様々な演出を表示する場合、その表示の背景等を構成する演出ステージが設定されるようになっている。しかしながら、演出は、演出ステージとは無関係に設定されるようになっており、その結果、面白味に欠け、遊技者にとっては、遊技の趣向性が今一物足りないものとなっていた。
【手続補正１１】
【補正対象書類名】明細書
【補正対象項目名】００１２
【補正方法】変更
【補正の内容】
【００１２】
本発明は、上記したような問題点を解決するためになされたもので、その目的とするところは、遊技の趣向性を向上させることが可能な遊技機を提供することにある。
【手続補正１２】
【補正対象書類名】明細書
【補正対象項目名】００１３
【補正方法】変更
【補正の内容】
【００１３】
このような問題を解決するために、本発明の遊技機は、請求項１に記載したように、始動条件の成立に基づいて表示手段に所定の図柄を変動表示させ、特定図柄が表示されたときに、遊技者にとって有利な特別遊技を発生させる特別遊技発生手段（ステップＳ４５０の大入賞装置処理）と、前記図柄の変動表示に係る演出を、少なくとも所定の表示手段に表示制御させる表示制御手段（ステップＳ４３０，ステップＳ４４０）と、を備えた遊技機（遊技機１００）であって、前記表示制御手段は、所定の遊技条件の成立により前記変動表示の結果に係る演出とは異なる所定のモチーフを用いた演出を前記表示手段に表示制御する演出表示制御手段を有し、前記演出表示制御手段は、前記モチーフを用いた、前記所定の図柄の変動表示の結果に関する煽り演出が終了した後の前記特別遊技の実行中は、所定期間の間、引き続き当該モチーフを用いた演出を行うことを要旨とする。
【手続補正１３】
【補正対象書類名】明細書
【補正対象項目名】００１５
【補正方法】変更
【補正の内容】
【００１５】
本発明によれば、遊技の趣向性が向上する。
【手続補正書】
【提出日】平成29年9月28日(2017.9.28)
【手続補正１】
【補正対象書類名】明細書
【補正対象項目名】００３５
【補正方法】変更
【補正の内容】
【００３５】
この検出率算出工程においては、マーカ画像取得工程（ステップＳ１２）において取得された複数の画像のうち、マーカ検出工程（ステップＳ１３）においてマーカを検出することができた画像の占める割合をマーカの位置の検出率とすることができる。但し、パターンマッチングによりマーカを検出する場合等においては、パターンのマッチング率に基づいてマーカの位置の検出率を算出してもよい。また、マーカを検出することができた画像の割合と、パターンのマッチング率との両方を利用してマーカの位置の検出率を算出してもよい。
【手続補正２】
【補正対象書類名】図面
【補正対象項目名】図２
【補正方法】変更
【補正の内容】
【図２】
2016214709.tif 000001
【手続補正３】
【補正対象書類名】図面
【補正対象項目名】図４
【補正方法】変更
【補正の内容】
【図４】
2016214709.tif 000002
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
正極及び負極を有する電極組立体がケース内に収容された蓄電装置が保持部材に保持された状態で一方向に並設される蓄電モジュールであって、
前記一方向に並設される複数の蓄電装置を挟持する一対の挟持部と、
前記一対の挟持部のうち一方の挟持部に固定される共に、前記ケースにおいて電極端子が設けられる面に対向して配置されるカバー部材と、
前記カバー部材に形成され、前記一方向に延びる長孔状の孔と、
前記保持部材に設けられ、前記カバー部材が配置される方向に突出すると共に前記孔に挿通された状態で前記カバー部材に係止される固定部と、を備え、
前記長孔状の孔は、前記蓄電装置が並設される方向に沿って延びており、その長さは、前記蓄電装置が並設される方向における前記固定部のサイズよりも長い、蓄電モジュール。
【請求項２】
互いに隣接する前記蓄電装置同士の間、及び、前記蓄電装置と一方の前記挟持部との間の少なくとも一方には、弾性体が配置されている、請求項１に記載の蓄電モジュール。
【請求項３】
前記一対の挟持部の間に配置されると共に、前記一方の挟持部に対し前記弾性体を介して配置される中間挟持部を更に備え、
前記一方向に並設される蓄電装置の両端には、前記一対の挟持部のうち他方の挟持部と前記中間挟持部とが配置されている、請求項２に記載の蓄電モジュール。
【請求項４】
前記カバー部材に形成される前記孔は、前記挟持部又は前記中間挟持部に固定された部分からの距離に応じて前記一方向における長さが設定されている、請求項３に記載の蓄電モジュール。
【請求項５】
前記カバー部材は、第１カバー部材と第２カバー部材とを有しており、
前記第１カバー部材は一方の挟持部に固定され、前記第２カバー部材は他方の前記挟持部に固定されている、請求項１〜４の何れか一項に記載の蓄電モジュール。
【請求項６】
前記第１カバー部材及び前記第２カバー部材のそれぞれには、前記一方向における一方の端部に、互いに隣接する前記カバー部材を互いに重なり合った状態で配置することを可能とする重複部が形成されている、請求項５記載の蓄電モジュール。
【請求項７】
前記カバー部材は、前記第１カバー部材と前記第２カバー部材との間に配置され、前記蓄電装置のケースにおいて電極端子が設けられる面に対向して配置される、少なくとも１つの中間カバー部材を更に有し、
前記中間カバー部材は、互いに隣接する前記第１カバー部材、前記第２カバー部材、又は前記中間カバー部材に対し、相対的に移動可能に設けられている、請求項６に記載の蓄電モジュール。
【請求項８】
前記第１カバー部材、前記第２カバー部材及び中間カバー部材のそれぞれには、前記一方向における少なくとも一方の端部に、互いに隣接する前記カバー部材を互いに重なり合った状態で配置することを可能とする重複部が形成されている、請求項７記載の蓄電モジュール。
【請求項９】
前記中間カバー部材を前記固定部を介して固定する前記保持部材には温度センサが配置され、前記温度センサが配置された保持部材と中間カバー部材とは一体的に移動可能に固定されている、請求項８に記載の蓄電モジュール。
【請求項１０】
前記中間カバー部材には、前記固定部の前記一方向における長さに対応する孔が形成されている、請求項７〜９の何れか一項に記載の蓄電モジュール。
【手続補正２】
【補正対象書類名】明細書
【補正対象項目名】０００６
【補正方法】変更
【補正の内容】
【０００６】
本発明の電池モジュールは、正極及び負極を有する電極組立体がケース内に収容された蓄電装置が保持部材に保持された状態で一方向に並設される蓄電モジュールであって、一方向に並設される複数の蓄電装置を挟持する一対の挟持部と、一対の挟持部のうち一方の挟持部に固定される共に、ケースにおいて電極端子が設けられる面に対向して配置されるカバー部材と、カバー部材に形成され、一方向に延びる長孔状の孔と、保持部材に設けられ、カバー部材が配置される方向に突出すると共に孔に挿通された状態でカバー部材に係止される固定部と、を備え、長孔状の孔は、蓄電装置が並設される方向に沿って延びており、その長さは、蓄電装置が並設される方向における固定部のサイズよりも長い。
【手続補正３】
【補正対象書類名】明細書
【補正対象項目名】００１５
【補正方法】変更
【補正の内容】
【００１５】
この構成の蓄電モジュールによれば、カバー部材が２枚の部材からなる場合であっても、保持部材又は固定部が破損されることを抑制することができる。
本発明の電池モジュールは、第１カバー部材及び第２カバー部材のそれぞれには、一方向における一方の端部に、互いに隣接するカバー部材を互いに重なり合った状態で配置することを可能とする重複部が形成されていてもよい。
【手続補正４】
【補正対象書類名】明細書
【補正対象項目名】００１６
【補正方法】変更
【補正の内容】
【００１６】
本発明の蓄電モジュールでは、カバー部材は、第１カバー部材と第２カバー部材との間に配置され、蓄電装置のケースにおいて電極端子が設けられる面に対向して配置される、少なくとも１つの中間カバー部材を更に有し、中間カバー部材は、互いに隣接する第１カバー部材、第２カバー部材、又は中間カバー部材に対し、相対的に移動可能に設けられていてもよい。本発明の蓄電モジュールでは、第１カバー部材、第２カバー部材及び中間カバー部材のそれぞれには、一方向における少なくとも一方の端部に、互いに隣接するカバー部材を互いに重なり合った状態で配置することを可能とする重複部が形成されていてもよい。
【手続補正書】
【提出日】平成29年9月12日(2017.9.12)
【手続補正１】
【補正対象書類名】明細書
【補正対象項目名】０００７
【補正方法】変更
【補正の内容】
【０００７】
上記した課題を解決するために本発明の情報出力装置は、第１の通信端末から前記第１
の通信端末に関連する第１の情報として前記第１の通信端末が持つ機能の使用履歴に基づき作成されるユーザの使用履歴情報を取得する第１の取得手段と、第２の通信端末に関連する第２の情報を取得する第２の取得手段と、前記第１の情報と前記第２の情報とに基づいて情報を出力する出力手段と、を備えたことを特徴とする。
【手続補正２】
【補正対象書類名】特許請求の範囲
【補正対象項目名】全文
【補正方法】変更
【補正の内容】
【特許請求の範囲】
【請求項１】
第１の通信端末から前記第１の通信端末に関連する第１の情報として前記第１の通信端末が持つ機能の使用履歴に基づき作成されるユーザの使用履歴情報を取得する第１の取得手段と、
第２の通信端末に関連する第２の情報を取得する第２の取得手段と、
前記第１の情報と前記第２の情報とに基づいて情報を出力する出力手段と、を備えたことを特徴とする情報出力装置。
【請求項２】
前記第１の取得手段は、
前記第１の通信端末と通信を行い、前記第１の情報を取得することを特徴とする請求項
１記載の情報出力装置。
【請求項３】
前記第２の取得手段は、
前記第２の通信端末と通信を行ない、前記第２の情報を取得することを特徴とする請求
項１記載の情報出力装置。
【請求項４】
前記通信は、
非接触通信であることを特徴とする請求項２または３記載の情報出力装置。
【請求項５】
前記第１の取得手段によって取得される前記第１の情報は、
前記第１の通信端末に固有の情報であることを特徴とする請求項１記載の情報出力装置。
【請求項６】
前記第２の取得手段により取得される前記第２の情報は、
前記第２の通信端末に固有の情報であることを特徴とする請求項１記載の情報出力装置。
【請求項７】
前記固有の情報は、
ユーザもしくは販売者によって選択される前記第１の通信端末に代わる前記第２の通信端末が持つ機能情報であることを特徴とする請求項６記載の情報出力装置。
【請求項８】
前記出力手段は、
前記第１の通信端末の固有情報と、前記第２の通信端末の固有情報とを比較して第３の情報を出力することを特徴とする請求項１記載の情報出力装置。
【請求項９】
前記出力手段によって出力される前記第３の情報は、
前記第１の通信端末と前記第２の通信端末が持つそれぞれの機能の差分に基づいて作成される出力情報であることを特徴とする請求項８記載の情報出力装置。
【請求項１０】
前記第１の通信端末および／または前記第２の通信端末は、
携帯情報端末であることを特徴とする請求項１〜９のいずれか１項記載の情報出力装置。
【請求項１１】
第１の通信端末から前記第１の通信端末に関連する第１の情報として前記第１の通信端末が持つ機能の使用履歴に基づき作成されるユーザの使用履歴情報を取得するステップと、
第２の通信端末に関連する第２の情報を取得する第２のステップと、
前記第１の情報と前記第２の情報とに基づいて情報を出力するステップと、を有することを特徴とする情報出力方法。
【請求項１２】
第１の通信端末から前記第１の通信端末に関連する第１の情報として前記第１の通信端末が持つ機能の使用履歴に基づき作成されるユーザの使用履歴情報を取得する機能と、
第２の通信端末に関連する第２の情報を取得する機能と、
前記第１の情報と前記第２の情報とに基づいて情報を出力する機能とを実行する情報出力装置のプログラム。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
クロック信号を出力するクロック源と、
前記クロック源が出力した前記クロック信号の周波数を分周する第１分周回路と、
前記クロック源が出力した前記クロック信号を第１周波数又は前記第１周波数より小さい第２周波数で出力する周波数可変回路と、
前記周波数可変回路が出力したクロック信号の周波数を分周する第２分周回路と、
を備え、
前記周波数可変回路は、
所定の指示に従って、前記クロック源から入力された前記クロック信号を前記第２周波数で出力し、
他の所定の指示に従って、前記クロック源から入力された前記クロック信号を一時的に前記第１周波数で出力して、その後、当該クロック信号の出力を停止し、
前記第２分周回路から出力されるクロック信号と前記第１分周回路から出力されるクロック信号とが同期するよう、前記停止したクロック信号の出力を再開する、
ことを特徴とする半導体集積回路。
【請求項２】
前記周波数可変回路は、前記クロック源から入力された前記クロック信号のトグルを間引く間引き回路である、ことを特徴とする請求項１に記載の半導体集積回路。
【請求項３】
前記周波数可変回路は、前記他の所定の指示に従って、予め決まった数のトグルを一時的に出力し、その後、クロック信号の出力を停止する、ことを特徴とする請求項１又は２に記載の半導体集積回路。
【請求項４】
前記第１分周回路から出力されたクロック信号をゲートする第１クロックゲート回路と、
前記第２分周回路から出力されたクロック信号をゲートする第２クロックゲート回路と、とをさらに備え、
前記第１クロックゲート回路及び前記第２クロックゲート回路は、前記所定の指示に従って、入力されたクロック信号をゲートする、
ことを特徴とする請求項１乃至３の何れか１項に記載の半導体集積回路。
【請求項５】
前記周波数可変回路は、前記第１分周回路から出力されるクロック信号が次のサイクルで特定の状態になるタイミングで、クロック信号の出力を再開する、ことを特徴とする請求項１乃至４の何れか１項に記載の半導体集積回路。
【請求項６】
前記クロック源から出力されるクロック信号の周波数を分周する第３分周回路、をさらに備え、
前記第１分周回路の分周比は、前記第３分周回路の分周比より大きい、ことを特徴とする請求項１乃至５の何れか１項に記載の半導体集積回路。
【請求項７】
前記周波数可変回路から出力されるクロック信号の周波数を分周する第４分周回路、をさらに備え、
前記第２分周回路の分周比は、前記第４分周回路の分周比より大きい、ことを特徴とする請求項１乃至６の何れか１項に記載の半導体集積回路。
【請求項８】
請求項１乃至７のいずれか１項に記載の半導体集積回路を備え、
通常モードと該通常モードよりも消費電力が低い省電力モードとで動作可能であり、
前記通常モードから前記省電力モードに移行する際に、前記所定の指示が出力され、前記省電力モードから前記通常モードに移行する際に、前記他の所定の指示が出力される、
ことを特徴とする装置。
【請求項９】
前記装置は、スキャナ及び前記スキャナで読み取った画像データに対して画像処理を行うスキャナ画像処理手段を備えた装置であり、
前記第１分周回路から出力されたクロック信号および前記第２分周回路から出力されたクロック信号の少なくとも１つは、前記スキャナ画像処理手段に出力される、
ことを特徴とする請求項８に記載の装置。
【請求項１０】
前記装置は、プリンタ及びプリンタに出力される画像データに対して画像処理を行うプリンタ画像処理手段を備えた装置であり、
前記第１分周回路から出力されたクロック信号および前記第２分周回路から出力されたクロック信号の少なくとも１つは、前記プリンタ画像処理手段に出力される、
ことを特徴とする請求項８に記載の装置。
【請求項１１】
半導体集積回路におけるクロックの制御方法であって、
第１分周回路によって、クロック源が出力した前記クロック信号の周波数を分周するステップと、
周波数可変回路によって、前記クロック源が出力した前記クロック信号を第１周波数又は前記第１周波数より小さい第２周波数で出力するステップと、
第２分周回路によって、前記周波数可変回路が出力したクロック信号の周波数を分周するステップと、
を含み、
前記周波数可変回路において、
所定の指示に従って、前記クロック源から入力された前記クロック信号を前記第２周波数で出力し、
他の所定の指示に従って、前記クロック源から入力された前記クロック信号を一時的に前記第１周波数で出力して、その後、当該クロック信号の出力を停止し、
前記第２分周回路から出力されるクロック信号と前記第１分周回路から出力されるクロック信号とが同期するよう、前記停止したクロック信号の出力を再開する、
ことを特徴とするクロックの制御方法。
【手続補正２】
【補正対象書類名】明細書
【補正対象項目名】０００７
【補正方法】変更
【補正の内容】
【０００７】
本発明に係る半導体集積回路は、クロック信号を出力するクロック源と、前記クロック源が出力した前記クロック信号の周波数を分周する第１分周回路と、前記クロック源が出力した前記クロック信号を第１周波数又は前記第１周波数より小さい第２周波数で出力する周波数可変回路と、前記周波数可変回路が出力したクロック信号の周波数を分周する第２分周回路と、を備え、前記周波数可変回路は、所定の指示に従って、前記クロック源から入力された前記クロック信号を前記第２周波数で出力し、他の所定の指示に従って、前記クロック源から入力された前記クロック信号を一時的に前記第１周波数で出力して、その後、当該クロック信号の出力を停止し、前記第２分周回路から出力されるクロック信号と前記第１分周回路から出力されるクロック信号とが同期するよう、前記停止したクロック信号の出力を再開する、ことを特徴とする。